(57)【特許請求の範囲】
【請求項１】
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、前記ビーコン装置との位置関係に基づいて定まる所定の判定領域外に前記ユーザー端末が出たことを少なくとも条件とし、
前記ビーコン装置が発信するビーコン信号は、納品庫を複数有するストッカでの商品の受け渡しに関連する処理に用いられるものであり、
前記広告関連情報は、前記ストッカを利用して前記商品の受け渡しを行う販売者の広告に関する情報である、
広告配信装置。
【請求項２】
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、所定の判定時期において前記ビーコン装置との位置関係に基づいて定まる所定の判定領域内に前記ユーザー端末が位置することを少なくとも条件とし、
前記ビーコン装置が発信するビーコン信号は、納品庫を複数有するストッカでの商品の受け渡しに関連する処理に用いられるものであり、
前記広告関連情報は、前記ストッカを利用して前記商品の受け渡しを行う販売者の広告に関する情報である、
広告配信装置。
【請求項３】
ビーコン信号を送信する複数のビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、前記複数のビーコン装置との位置関係に基づいて定まる複数の判定領域と該複数の判定領域内に位置した順序とで定まる所定の移動経路を前記ユーザー端末が通ったことを少なくとも条件とし、
前記ビーコン装置が発信するビーコン信号は、納品庫を複数有するストッカでの商品の受け渡しに関連する処理に用いられるものであり、
前記広告関連情報は、前記ストッカを利用して前記商品の受け渡しを行う販売者の広告に関する情報である、
広告配信装置。
【請求項４】
ビーコン信号を送信する複数のビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、前記複数のビーコン装置との位置関係に基づいて定まる複数の判定領域と該複数の判定領域内に位置した順序とで定まる所定の移動経路を前記ユーザー端末が通ったことを少なくとも条件とし、
前記広告情報記憶手段には、
商品を受け取り可能な場所に関連する受取可能判定領域を少なくとも１つ含む複数の判定領域と該複数の判定領域内に位置した順序とで定まる第１移動経路を前記ユーザー端末が通ったことを少なくとも条件とする第１広告提供条件と、前記受け取り可能な商品に関する第１広告関連情報と、が対応付けられ、
前記受取可能判定領域を少なくとも１つ含む複数の判定領域と該複数の判定領域内に位置した順序とで定まり且つ前記第１移動経路とは少なくとも一部の経路が異なる第２移動経路を前記ユーザー端末が通ったことを少なくとも条件とする第２広告提供条件と、前記受け取り可能であり且つ該第１広告関連情報に基づいて取得される広告よりも持ち運びの容易な商品の広告に関する第２広告関連情報と、が対応付けられている、
広告配信装置。
【請求項５】
ビーコン信号を送信するビーコン装置と、前記ビーコン信号を受信可能なユーザー端末と、商品の受け渡しに用いる納品庫を複数有するストッカと、を備えた広告システムに用いられる広告配信装置であって、
前記ビーコン信号に基づく前記ユーザー端末の位置に関する位置情報と、ユーザー識別情報と、を前記ユーザー端末から受信する受信手段と、
前記ユーザー識別情報と、ユーザーによる前記ストッカの利用状況に関する利用情報と、を対応付けた管理情報を記憶可能な管理情報記憶手段と、
広告提供条件と、広告又は広告の取得に必要な情報の少なくとも一方を含む広告関連情報と、を対応付けた広告対応情報を記憶可能な広告情報記憶手段と、
前記受信された位置情報及びユーザー識別情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、前記受信された位置情報に基づいて前記ユーザー端末が所定の位置条件を満たし、且つ、前記受信された前記ユーザー識別情報に対応する前記利用情報が所定の利用条件を満たしていること、を少なくとも条件とする、
広告配信装置。
【請求項６】
前記ビーコン装置が発信するビーコン信号は、納品庫を複数有するストッカでの商品の受け渡しに関連する処理に用いられるものであり、
前記広告関連情報は、前記ストッカを利用して前記商品の受け渡しを行う販売者の広告に関する情報である、
請求項４又は５に記載の広告配信装置。
【請求項７】
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告情報記憶手段には、前記位置情報に基づいて判定される第１広告提供条件と所定の第１広告関連情報とが対応付けられ、前記位置情報に基づいて判定され該第１広告提供条件を満たさない場合に成立しうる第２広告提供条件と該第１広告関連情報に基づいて取得される広告よりも情報量の多い広告に関する第２広告関連情報とが対応付けられており、
前記ビーコン装置が発信するビーコン信号は、納品庫を複数有するストッカでの商品の受け渡しに関連する処理に用いられるものであり、
前記広告関連情報は、前記ストッカを利用して前記商品の受け渡しを行う販売者の広告に関する情報である、
広告配信装置。
【請求項８】
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告情報記憶手段には、前記位置情報に基づいて判定される第１広告提供条件と所定の第１広告関連情報とが対応付けられ、前記位置情報に基づいて判定され該第１広告提供条件を満たさない場合に成立しうる第２広告提供条件と該第１広告関連情報に基づいて取得される広告よりも時期的に後の広告に関する第２広告関連情報とが対応付けられており、
前記ビーコン装置が発信するビーコン信号は、納品庫を複数有するストッカでの商品の受け渡しに関連する処理に用いられるものであり、
前記広告関連情報は、前記ストッカを利用して前記商品の受け渡しを行う販売者の広告に関する情報である、
広告配信装置。
【発明の詳細な説明】
【技術分野】
【０００１】
本発明は、広告配信装置に関する。
【背景技術】
【０００２】
従来、携帯端末のユーザーに対して店舗からの情報を提供するシステムが知られている。例えば、特許文献１には、店舗の無線ＬＡＮアクセスポイントと携帯端末とを備えた以下のシステムが記載されている。まず、携帯端末は、情報提供元の店舗名と、アクセスポイントからのビーコン内に含まれるＩＤと、店舗情報ＵＲＬと、の組を予め記憶している。そして、アクセスポイントの無線通信範囲内で、携帯端末は、アクセスポイントからのビーコンに含まれるＩＤに対応する店舗名を表示したり、ＩＤに対応する店舗情報ＵＲＬにユーザーの指示に応じてアクセスしたりする。これにより、無線ＬＡＮを利用してユーザーに簡便に情報の提供を行うことができるとしている。
【先行技術文献】
【特許文献】
【０００３】
【特許文献１】特開２００８−２１９５５０号公報
【発明の概要】
【発明が解決しようとする課題】
【０００４】
しかし、特許文献１に記載のシステムでは、アクセスポイントの無線通信範囲内に携帯端末が位置する場合に店舗の情報が表示されるだけであった。そのため、ユーザーに対してより適切に広告を提供することが望まれていた。
【０００５】
本発明はこのような課題を解決するためになされたものであり、ユーザーの挙動に応じて適切に広告を提供することを主目的とする。
【課題を解決するための手段】
【０００６】
本発明は、上述した主目的を達成するために以下の手段を採った。
【０００７】
本発明の第１の広告配信装置は、
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、前記ビーコン装置との位置関係に基づいて定まる所定の判定領域外に前記ユーザー端末が出たことを少なくとも条件とする、
ものである。
【０００８】
この第１の広告配信装置は、ビーコン装置からのビーコン信号に基づくユーザー端末の位置に関する位置情報をユーザー端末から受信する。そして、受信された位置情報に基づいて、ビーコン装置との位置関係に基づいて定まる所定の判定領域外にユーザー端末が出たことを少なくとも条件とする広告提供条件を満たしたと判定した場合に、広告提供条件に対応する広告関連情報をユーザー端末に送信する。このように、判定領域内から判定領域外にユーザー端末が出たことに基づいて広告関連情報を送信するから、ユーザーの挙動に応じて適切に広告を提供することができる。
【０００９】
本発明の第２の広告配信装置は、
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、所定の判定時期において前記ビーコン装置との位置関係に基づいて定まる所定の判定領域内に前記ユーザー端末が位置することを少なくとも条件とする、
ものである。
【００１０】
この第２の広告配信装置は、ビーコン装置からのビーコン信号に基づくユーザー端末の位置に関する位置情報をユーザー端末から受信する。そして、受信された位置情報に基づいて、所定の判定時期においてビーコン装置との位置関係に基づいて定まる所定の判定領域内にユーザー端末が位置することを少なくとも条件とする広告提供条件を満たしたと判定した場合に、広告提供条件に対応する広告関連情報をユーザー端末に送信する。このように、判定時期と判定領域とを用いた判定に基づいて広告関連情報を送信するから、ユーザーの挙動に応じて適切に広告を提供することができる。
【００１１】
本発明の第３の広告配信装置は、
ビーコン信号を送信する複数のビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、前記複数のビーコン装置との位置関係に基づいて定まる複数の判定領域と該複数の判定領域内に位置した順序とで定まる所定の移動経路を前記ユーザー端末が通ったことを少なくとも条件とする、
ものである。
【００１２】
この第３の広告配信装置は、ビーコン装置からのビーコン信号に基づくユーザー端末の位置に関する位置情報をユーザー端末から受信する。そして、受信された位置情報に基づいて、複数のビーコン装置との位置関係に基づいて定まる複数の判定領域と複数の判定領域内に位置した順序とで定まる所定の移動経路をユーザー端末が通ったことを少なくとも条件とする広告提供条件を満たしたと判定した場合に、広告提供条件に対応する広告関連情報をユーザー端末に送信する。このように、ユーザー端末の移動経路に関する判定に基づいて広告関連情報を送信するから、ユーザーの挙動に応じて適切に広告を提供することができる。
【００１３】
この第３の広告配信装置において、前記広告情報記憶手段には、商品を受け取り可能な場所に関連する受取可能判定領域を少なくとも１つ含む複数の判定領域と該複数の判定領域内に位置した順序とで定まる第１移動経路を前記ユーザー端末が通ったことを少なくとも条件とする第１広告提供条件と、前記受け取り可能な商品に関する第１広告関連情報と、が対応付けられ、前記受取可能判定領域を少なくとも１つ含む複数の判定領域と該複数の判定領域内に位置した順序とで定まり且つ前記第１移動経路とは少なくとも一部の経路が異なる第２移動経路を前記ユーザー端末が通ったことを少なくとも条件とする第２広告提供条件と、前記受け取り可能であり且つ該第１広告関連情報に基づいて取得される広告よりも持ち運びの容易な商品の広告に関する第２広告関連情報と、が対応付けられていてもよい。こうすれば、ユーザー端末が商品を受け取り可能な場所を経由する複数の移動経路のうちいずれの経路を通ったかに基づいて、持ち運び易さの異なる商品の広告の広告関連情報を送信するから、ユーザーの挙動に応じて適切に広告を提供することができる。
【００１４】
本発明の第４の広告配信装置は、
ビーコン信号を送信するビーコン装置と、前記ビーコン信号を受信可能なユーザー端末と、商品の受け渡しに用いる納品庫を複数有するストッカと、を備えた広告システムに用いられる広告配信装置であって、
前記ビーコン信号に基づく前記ユーザー端末の位置に関する位置情報と、ユーザー識別情報と、を前記ユーザー端末から受信する受信手段と、
前記ユーザー識別情報と、ユーザーによる前記ストッカの利用状況に関する利用情報と、を対応付けた管理情報を記憶可能な管理情報記憶手段と、
広告提供条件と、広告又は広告の取得に必要な情報の少なくとも一方を含む広告関連情報と、を対応付けた広告対応情報を記憶可能な広告情報記憶手段と、
前記受信された位置情報及びユーザー識別情報に基づいて前記ユーザー端末が前記広告提供条件を満たしたと判定した場合に、該広告提供条件に対応する前記広告関連情報を該ユーザー端末に送信する広告送信手段と、
を備え、
前記広告提供条件は、前記受信された位置情報に基づいて前記ユーザー端末が所定の位置条件を満たし、且つ、前記受信された前記ユーザー識別情報に対応する前記利用情報が所定の利用条件を満たしていること、を少なくとも条件とする、
ものである。
【００１５】
この第４の広告配信装置は、ビーコン装置からのビーコン信号に基づくユーザー端末の位置に関する位置情報と、ユーザー識別情報と、をユーザー端末から受信する。そして、受信された位置情報に基づいてユーザー端末が所定の位置条件を満たし、且つ、受信されたユーザー識別情報に対応する利用情報が所定の利用条件を満たしていること、を少なくとも条件とする広告提供条件を満たしたと判定した場合に、広告提供条件に対応する広告関連情報をユーザー端末に送信する。このように、ユーザーの位置及びストッカの利用状況を用いた判定に基づいて広告関連情報を送信するから、ストッカの利用状況も加味したユーザーの挙動に応じて適切に広告を提供することができる。
【００１６】
本発明の第５の広告配信装置は、
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告情報記憶手段には、前記位置情報に基づいて判定される第１広告提供条件と所定の第１広告関連情報とが対応付けられ、前記位置情報に基づいて判定され該第１広告提供条件を満たさない場合に成立しうる第２広告提供条件と該第１広告関連情報に基づいて取得される広告よりも情報量の多い広告に関する第２広告関連情報とが対応付けられている、
ものである。
【００１７】
この第５の広告配信装置は、ビーコン装置からのビーコン信号に基づくユーザー端末の位置に関する位置情報をユーザー端末から受信する。そして、受信された位置情報に基づいて第１広告提供条件を満たしたと判定したときには、第１広告関連情報をユーザー端末に送信する。また、第１広告提供条件を満たさない場合に成立しうる第２広告提供条件を満たしたと判定したときには、第１広告関連情報に基づいて取得される広告よりも情報量の多い広告に関する第２広告関連情報をユーザー端末に送信する。このように、位置情報に基づいて判定される異なる複数の広告提供条件のいずれを満たしたかによって、情報量の異なる広告の広告関連情報を送信するから、ユーザーの挙動に応じて適切に広告を提供することができる。
【００１８】
本発明の第６の広告配信装置は、
ビーコン信号を送信するビーコン装置と、前記ビーコン信号を受信可能なユーザー端末と、を備えた広告システムに用いられる広告配信装置であって、
前記ビーコン信号に基づく前記ユーザー端末の位置に関する位置情報、を前記ユーザー端末から受信する受信手段と、
広告提供条件と、広告又は広告の取得に必要な情報の少なくとも一方を含む広告関連情報と、を対応付けた広告対応情報を記憶可能な広告情報記憶手段と、
前記受信された位置情報に基づいて前記ユーザー端末が前記広告提供条件を満たしたと判定した場合に、該広告提供条件に対応する前記広告関連情報を該ユーザー端末に送信する広告送信手段と、
を備え、
前記広告情報記憶手段には、前記位置情報に基づいて判定される第１広告提供条件と所定の第１広告関連情報とが対応付けられ、前記位置情報に基づいて判定され該第１広告提供条件を満たさない場合に成立しうる第２広告提供条件と該第１広告関連情報に基づいて取得される広告よりも時期的に後の広告に関する第２広告関連情報とが対応付けられている、
ものである。
【００１９】
この第６の広告配信装置は、ビーコン装置からのビーコン信号に基づくユーザー端末の位置に関する位置情報をユーザー端末から受信する。そして、受信された位置情報に基づいて第１広告提供条件を満たしたと判定したときには、第１広告関連情報をユーザー端末に送信する。また、第１広告提供条件を満たさない場合に成立しうる第２広告提供条件を満たしたと判定したときには、第１広告関連情報に基づいて取得される広告よりも時期的に後の広告に関する第２広告関連情報をユーザー端末に送信する。このように、位置情報に基づいて判定される異なる複数の広告提供条件のいずれを満たしたかによって、時期の異なる広告の広告関連情報を送信するから、ユーザーの挙動に応じて適切に広告を提供することができる。
【００２０】
本発明の第１〜第６のいずれかの広告配信装置において、前記ビーコン装置が発信するビーコン信号は、納品庫を複数有するストッカでの商品の受け渡しに関連する処理に用いられるものであり、前記広告関連情報は、前記ストッカを利用して前記商品の受け渡しを行う販売者の広告に関する情報であってもよい。こうすれば、ビーコン装置からのビーコン信号の受信に基づいて、そのビーコン装置に関連するストッカを利用する販売者の広告がユーザーに提供される。そのため、ユーザーの挙動に応じたより適切な内容の広告を提供できる。
【００２１】
なお、本発明の第１〜第６の広告配信装置の各々において、互いに、上述した本発明の他の広告配信装置の種々の態様や構成を追加してもよい。
【図面の簡単な説明】
【００２２】
【図１】ストッカシステム１の構成の概略説明図。
【図２】親装置６１の記憶部６３に記憶された情報の説明図。
【図３】広告報知ルーチンの一例を表すフローチャート。
【図４】広告提供ルーチンの一例を表すフローチャート。
【発明を実施するための形態】
【００２３】
次に、本発明の実施形態について、図面を用いて説明する。図１は、本発明の一実施形態であるストッカシステム１の構成の概略説明図である。図２は、親装置６１の記憶部６３に記憶された情報の説明図である。ストッカシステム１は、本発明の広告システムを含んでおり、供給者側システム５と、受取者２０の携帯端末２１と、複数のビーコン装置３０と、複数のストッカ４０と、親装置６１及び複数の子装置７０を備えたストッカ管理装置６０と、を備えている。供給者側システム５の店舗ＰＣ１２，携帯端末２１，親装置６１，及び複数の子装置７０は、インターネットなどのネットワーク２に接続されている。
【００２４】
供給者側システム５は、受取者２０に商品１７を販売するシステムであり、例えばスーパーなどの商店１０と、商店１０に配置され供給者側システム５を管理するコンピュータである店舗ＰＣ１２と、商店１０によって運営されるネットスーパーのウェブサイト１５と、を備えている。ウェブサイト１５は、ネットワーク２を介して例えば店舗ＰＣ１２や携帯端末２１からアクセス可能になっている。
【００２５】
携帯端末２１は、商品１７の発注及び受け取りを行う受取者２０が所持する機器であり、例えばスマートフォンなどの携帯可能なコンピュータとして構成されている。携帯端末２１は、端末制御部２２と、記憶部２３と、通信部２４と、表示操作部２５と、を備えている。端末制御部２２は、ＣＰＵ及びＲＡＭなどにより構成され装置全体の制御を司る。記憶部２３は、処理プログラム２６などの各種アプリケーションプログラムや会員ＩＤ２７などの各種データを記憶している。処理プログラム２６は、後述する広告報知ルーチンを携帯端末２１に実行させるためのプログラムである。会員ＩＤ２７は、予め供給者側システム５から発行された、受取者２０を識別可能な情報である。通信部２４は、無線により図示しない基地局などの送受信設備を介してネットワーク２に接続されて、他の機器と双方向の通信を行う。表示操作部２５は、タッチパネル及び操作ボタンなどを備えており、受取者２０への各種情報の表示や受取者２０からの各種操作の入力を行う。
【００２６】
複数のビーコン装置３０は、例えばＢＬＥ（Bluetooth Low Energy）（Bluetoothは登録商標）などの近距離無線通信規格を利用してビーコンＩＤを含むビーコン信号を無線で周期的に周囲に送信する装置である。本実施形態では、ストッカシステム１は４台のビーコン装置３０（第１〜第４ビーコン装置３１〜３４）を備えている。ビーコンＩＤは第１〜第４ビーコン装置３１〜３４を識別可能な情報であり、第１〜第４ビーコン装置３１〜３４が発信するビーコン信号には互いに異なるビーコンＩＤが含まれている。第１〜第４ビーコン装置３１〜３４は、複数のストッカ４０（第１〜第３ストッカ４１〜４３）に対応して配置されている。具体的には、第１，第４ビーコン装置３１，３４は、第１ストッカ４１が配置された受取者２０の勤務先のオフィス３５に配置されている。第２，第３ビーコン装置３２，３３は、それぞれ対応する第２，第３ストッカ４２，４３付近（例えば数ｍ以内など）に配置されている。
【００２７】
複数のストッカ４０は、供給者側システム５から配送される商品１７の受取者２０への受け渡しに用いられるものである。本実施形態では、ストッカシステム１は３台のストッカ４０（第１〜第３ストッカ４１〜４３）を備えている。複数のストッカ４０の各々は、施錠可能な複数（例えば３０個）の納品庫４５と、表示操作部５４と、読取機５５，５６と、を備えている。納品庫４５の各々は、商品１７等の物品を収容可能な内部空間を有しており、前面の扉４６と、扉４６の施錠及び解錠を行うロック機構４７と、納品庫４５内の物品の有無を検出する物品センサ４８と、扉４６の開閉を検出する開閉センサ４９と、を備えている。表示操作部５４は、ストッカ４０の前面に配置されたタッチパネルなどを備えており、商品１７の配達者１９及び受取者２０への各種情報の表示や、配達者１９及び受取者２０からの各種操作の入力を行う。読取機５５は、受取者２０が納品庫４５の解錠に用いるＱＲコード（登録商標）を読み取るＱＲコードリーダであり、ストッカ４０の前面の表示操作部５４付近に配置されている。読取機５６は、商店１０から配送される商品１７に付されたバーコード１８を読み取る手持ち式のバーコードリーダである。ストッカ４０は、多数の受取者２０が利用可能であり、オフィス、コンビニエンスストア、工場、駅、学校、マンションなど様々な場所に配置することができる。本実施形態では、第１ストッカ４１は、受取者２０の勤務先のオフィス３５の建物内に配置されている。また、第２ストッカ４２は鉄道などの公共交通機関の経路から離れた大通り沿いに配置され、第３ストッカ４３は公共交通機関の駅構内に配置されている。
【００２８】
ストッカ管理装置６０は、複数のストッカ４０を管理すると共に携帯端末２１を介して受取者２０への広告の提供を行う装置であり、親装置６１と、複数の子装置７０と、を備えたシステムとして構成されている。親装置６１は、複数の子装置７０に対するサーバーとして構成されており、親制御部６２と、記憶部６３と、通信部６４と、を備えている。親制御部６２は、ＣＰＵ，ＲＯＭ及びＲＡＭなどにより構成され装置全体の制御を司る。記憶部６３は、処理プログラムなどの各種アプリケーションプログラムやストッカ４０の管理情報６５，提供する広告に関する広告対応情報６９，携帯端末２１の位置に関する位置履歴情報９０などの各種データを記憶している。通信部６４は、ネットワーク２に接続されて、他の機器と双方向の通信を行う。
【００２９】
記憶部６３に記憶された情報について、図２を用いて説明する。管理情報６５は、納品庫対応テーブル６７と、物品有無テーブル６８と、を含んでいる。納品庫対応テーブル６７は、複数のストッカ４０と、ストッカ４０の中のいずれの納品庫４５かを特定可能な納品庫番号と、会員ＩＤと、供給者側システム５に対する商品１７の発注を識別するための伝票ＩＤと、納品庫４５を解錠するための解錠コードと、を対応付けたテーブルである。物品有無テーブル６８は、複数のストッカ４０と、納品庫番号と、納品庫４５内の物品の有無を表す物品有無と、を対応付けたテーブルである。なお、納品庫４５内の物品有無は、物品センサ４８による物品の有無の検出に基づく情報であり、親装置６１が子装置７０から取得した情報である。管理情報６５は、このような納品庫対応テーブル６７及び物品有無テーブル６８を含むことで、受取者２０の会員ＩＤと、受取者２０によるストッカ４０の利用状況に関する利用情報（ストッカ４０の情報，納品庫番号，伝票ＩＤ，物品の有無等）とを対応付けた情報になっている。また、図示は省略するが、管理情報６５には、複数の受取者２０の会員ＩＤと、複数の受取者２０のメールアドレスとを対応付けた会員情報テーブルも含まれている。
【００３０】
広告対応情報６９は、複数の広告提供条件と広告関連情報とを対応付けたテーブルである。本実施形態では、広告提供条件として条件Ａ〜Ｈが記憶され、各々に広告関連情報として広告ａ〜ｈが対応付けられている。条件Ａ〜Ｈは、位置条件，時期条件，利用条件のうち１以上を含んでいる。位置条件は、携帯端末２１の位置に関する条件である。時期条件は、広告を提供すべき時刻や時間帯に関する条件である。利用条件は、受取者２０によるストッカ４０の利用状況に関する条件である。なお、図２の広告対応情報６９における「−」は、対応する条件が設定されていないことを意味する。また、位置条件の定義に含まれる判定領域Ｘ〜Ｚは、携帯端末２１と複数のビーコン装置３０との位置関係に基づいて定まる領域である。より具体的には、判定領域Ｘ〜Ｚは、携帯端末２１によるビーコン信号の受信に基づいて判定領域内外のいずれに携帯端末２１が位置するかを判定可能な領域として定められている。本実施形態では、判定領域Ｘは、第１，第４ビーコン装置３１，３４の少なくとも一方のビーコン信号を受信可能な領域として定められている。判定領域Ｙ，Ｚは、それぞれ第２，第３ビーコン装置３２，３３のビーコン信号を受信可能な領域として定められている。なお、本実施形態では、オフィス３５から外に出ると判定領域Ｘから外れるように、判定領域Ｘが定められている。すなわち、携帯端末２１がオフィス３５内にある間は第１，第４ビーコン装置３１，３４のいずれかのビーコン信号を受信可能であり、携帯端末２１がオフィス３５の入口から外に出ると第１，第４ビーコン装置３１，３４のいずれからも離れてビーコン信号を受信不可能となるように、第１，第４ビーコン装置３１，３４の位置が調整されている。また、判定領域Ｙ，Ｚがそれぞれ第２，第３ストッカ４２，４３を含むように、第２，第３ビーコン装置３２，３３の位置が調整されている。なお、このように判定領域Ｘ〜Ｚは、いずれも商品１７を受け取り可能な場所（ストッカ４０が設置された場所）に関連する領域（受取可能判定領域とも称する）となるように設定されている。広告ａ〜ｈは、ストッカ４０を利用して商品１７の受け渡しを行う販売者（商店１０）の広告に関する情報である。広告ａ〜ｈは、それぞれ１以上の商品１７の広告を含むものであり、例えば文字や写真，商品１７を購入するためのウェブサイト１５のＵＲＬなどを含む種々の商品１７の広告のデータである。
【００３１】
以下、具体的に条件Ａ〜Ｈを説明する。条件Ａは携帯端末２１が判定領域Ｘに入った旨の位置条件を満たしたときに成立する条件であり、条件Ｂは携帯端末２１が判定領域Ｘから出た旨の位置条件を満たしたときに成立する条件である。条件Ａには本日のお買い得商品の広告である広告ａが対応付けられ、条件Ｂには翌日以降のお買い得商品の広告である広告ｂが対応付けられている。条件Ｃは、携帯端末２１が判定領域Ｘ内に位置する旨の位置条件を満たし、且つ時刻が判定時期Ｔ（１０時〜１１時）である旨の時期条件を満たしたときに成立する条件である。条件Ｄは、条件Ｃと同じ位置条件を満たし、且つ時刻が判定時期Ｕ（１６時〜１７時）である旨の時期条件を満たしたときに成立する条件である。  条件Ｃには写真，商品１７の名称及び価格などの最小限の情報で構成された簡易な広告ｃが対応付けられ、条件Ｄには広告ｃにさらに商品１７の説明などの情報を追加した詳細な広告ｄが対応付けられている。条件Ｅは、携帯端末２１が移動経路Ｌを通った旨の位置条件を満たしたときに成立する条件であり、条件Ｆは、携帯端末２１が移動経路Ｍを通った旨の位置条件を満たしたときに成立する条件である。ここで、移動経路Ｌ，Ｍは、複数の判定領域Ｘ〜Ｚと複数の判定領域Ｘ〜Ｚ内に位置した順序とで定まる移動経路である。本実施形態では、移動経路Ｌは、判定領域Ｙ内→判定領域Ｘ内の順に携帯端末２１が位置した旨の経路とし、移動経路Ｍは、判定領域Ｚ内→判定領域Ｘ内の順に携帯端末２１が位置した旨の経路とした。移動経路Ｌ，Ｍは、いずれも共通の受取可能判定領域（判定領域Ｘ）を含んでいる。条件Ｅには比較的重い商品１７の広告である広告ｅが対応付けられ、条件Ｆには広告ｅと比べて軽い商品１７の広告である広告ｆが対応付けられている。条件Ｇは、携帯端末２１が判定領域Ｘ内に位置する旨の位置条件を満たし、且つ受取者２０が商品１７を未発注である旨の利用条件を満たしたときに成立する条件である。条件Ｈは、条件Ｇと同じ位置条件を満たし、且つ受取者２０が商品１７を発注済みである旨の利用条件を満たしたときに成立する条件である。条件Ｇには本日のお買い得商品の広告である広告ｇが対応付けられ、条件Ｈには翌日以降のお買い得商品の広告である広告ｈが対応付けられている。
【００３２】
なお、広告ａ，ｂは互いに同種類の商品１７（例えば食品類など）に関する広告とし、広告ｇ，ｈも互いに同種類の商品１７に関する広告とした。また、供給者側システム５の店舗ＰＣ１２は、広告に関するデータを管理しており、広告ａ〜ｈの内容に定期的あるいは変更が生じる度に変更後の情報を親装置６１に送信している。そのため、親装置６１の記憶部６３に記憶される広告ａ〜ｈの内容は、常に最新の状態に更新されている。
【００３３】
位置履歴情報９０は、広告提供条件の成否を判定する際に用いるテーブルであり、複数の受取者２０の携帯端末２１の位置の履歴に関する情報である。位置履歴情報９０では、各々の受取者２０の会員ＩＤと、受取者２０の携帯端末２１から親装置６１が受信した位置情報と、受信日時と、が対応付けられている。
【００３４】
複数の子装置７０は、親装置６１に対するクライアントとして構成されている。本実施形態では、ストッカ管理装置６０は３台の子装置７０（第１〜第３子装置７１〜７３）を備えている。第１子装置７１は、第１ストッカ４１を管理する装置であり、第１ストッカ４１のうち納品庫４５と同様の箱状の１室内に配置されている。第１子装置７１は、子制御部８２と、記憶部８３と、通信部８４とを備えている。子制御部８２は、ＣＰＵ，ＲＯＭ及びＲＡＭなどにより構成され装置全体の制御を司る。記憶部８３は、処理プログラムなどの各種アプリケーションプログラムや第１ストッカ４１の管理情報８５などの各種データを記憶している。通信部８４は、ネットワーク２に接続されて、他の機器と双方向の通信を行う。第１子装置７１は、第１ストッカ４１の表示操作部５４に表示信号を出力して表示操作部５４に情報を表示させたり、第１ストッカ４１の表示操作部５４から操作信号を入力したり、第１ストッカ４１の読取機５５，５６が読み取ったＱＲコードやバーコード１８の情報を入力したりする。また、第１子装置７１は、第１ストッカ４１のロック機構４７に制御信号を出力して納品庫４５の施錠及び解錠を制御したり、第１ストッカ４１の物品センサ４８及び開閉センサ４９からの検出信号を入力して納品庫４５内の物品の有無や扉４６の開閉を検出したりする。第２子装置７２，第３子装置７３は、それぞれ第２ストッカ４２，第３ストッカ４３を管理する装置であり、第１子装置７１と同様に第２ストッカ４２，第３ストッカ４３のうち納品庫４５と同様の箱状の１室内に配置されている。図示は省略するが、第２子装置７２及び第３子装置７３は、第１子装置７１と同様に子制御部８２と、管理情報８５などを記憶する記憶部８３と、通信部８４と、を備えている。
【００３５】
第１子装置７１の記憶部８３に記憶された管理情報８５は、自身が管理する第１ストッカ４１以外のストッカ４０の情報を含まない点以外は親装置６１の納品庫対応テーブル６７及び物品有無テーブル６８と同様のテーブルを含んでいる。具体的には、管理情報８５は、第１ストッカ４１の納品庫４５を特定可能な納品庫番号と会員ＩＤと伝票ＩＤと解錠コードとを対応付けた納品庫対応テーブルと、第１ストッカ４１の納品庫４５の各々について納品庫番号と納品庫４５内の物品有無とを対応付けた物品有無テーブルと、を含んでいる。第２子装置７２，第３子装置７３の記憶部８３に記憶された管理情報８５も、同様に自身が管理する第２ストッカ４２，第３ストッカ４３に関する納品庫対応テーブル及び物品有無テーブルを含んでいる。なお、親装置６１は、管理情報６５の納品庫対応テーブル６７の情報に変更が生じると、対応するストッカ４０を管理する子装置７０に変更後の情報を送信する。同様に、子装置７０は、管理情報８５の納品庫対応テーブル及び物品有無テーブルの情報に変更が生じると、親装置６１に変更後の情報を送信する。そのため、親装置６１の管理情報６５と複数の子装置７０の管理情報８５とは、情報の同期が取られている。
【００３６】
続いて、こうして構成されたストッカシステム１の動作について説明する。最初に、受取者２０による商品１７の発注から商品１７の受け取りまでのストッカシステム１の動作の概略について説明する。まず、受取者２０は、携帯端末２１を操作してウェブサイト１５にアクセスし、希望する商品１７，自身の会員ＩＤ，受け取りを希望するストッカ４０などを入力して、商品１７の発注を行う。発注が行われると、店舗ＰＣ１２は入力された情報を取得し、発注を管理する伝票ＩＤを付してこれらの発注情報を管理する。また、店舗ＰＣ１２は、発注情報のうち会員ＩＤ，伝票ＩＤ及び受取希望のストッカ４０の情報を親装置６１に送信する。親制御部６２は、これらの情報を入力すると、納品庫対応テーブル６７で納品庫番号が記憶されていない納品庫、すなわち使用予定のない納品庫４５を調べ、配送先のストッカ４０及び納品庫４５の割り当て（使用するストッカ４０及び納品庫４５の決定）を行う。なお、配送先の納品庫４５は、基本的には受取希望のストッカ４０が備える納品庫４５の中から決定される。また、親制御部６２は、納品庫４５の解錠コードを決定する。そして、親制御部６２は、会員ＩＤ，伝票ＩＤ，決定したストッカ４０及び納品庫４５の納品庫番号，解錠コードを対応付けて、納品庫対応テーブル６７に追加する。一方、商店１０の店員は、店舗ＰＣ１２に記憶された発注情報に基づいて、商品１７の手配や配達者１９に対する商品１７の配送指示などを行う。なお、商品１７には、伝票ＩＤを表すバーコード１８が付される。配達者１９は、商品１７を配送指示されたストッカ４０に配送する。配達者１９は、ストッカ４０に到着すると、商品１７に付されたバーコード１８を読取機５６に読み取らせる。子制御部８２は、管理情報８５の納品庫対応テーブルにおいて入力されたバーコード１８が表す伝票ＩＤに対応する納品庫番号を調べ、納品庫番号で特定される納品庫４５を解錠する。配達者１９は、解錠された納品庫４５内に商品１７を納入して扉４６を閉め、表示操作部５４を操作して納品完了した旨を入力する。子制御部８２は、納品完了を入力すると、ロック機構４７を制御して納品庫４５を施錠する。また、子制御部８２は、物品センサ４８の検出信号に基づいて商品１７が新たに納入された納品庫４５が物品無しから物品有りに変更されたことを検出して、管理情報８５の物品有無テーブルを更新すると共に、親装置６１に変更内容を送信する。親制御部６２は、子装置７０から入力した変更内容に基づいて管理情報６５の物品有無テーブル６８を更新する。また、親制御部６２は、物品有りに変更になった納品庫４５に対応する会員ＩＤのメールアドレスに、納品されたストッカ４０の情報や解錠コードを表すＱＲコードなどが含まれる納品完了メールを送信する。納品完了メールを携帯端末２１で受信した受取者２０は、納品されたストッカ４０に商品１７の受け取りに向かい、表示操作部２５の表示画面にＱＲコードを表示させて読取機５５に読み取らせる。子制御部８２は、管理情報８５の納品庫対応テーブルにおいて入力されたＱＲコードが表す解錠コードに対応する納品庫番号を調べ、納品庫番号で特定される納品庫４５を解錠する。また、子制御部８２は、物品センサ４８及び開閉センサ４９の検出信号に基づいて商品１７の受取及び閉扉を検出すると、納品庫４５を施錠すると共に管理情報８５の物品有無テーブルを更新したり、納品庫対応テーブルを更新（例えば受取が完了した納品庫４５に関する情報の削除）したりする。親装置６１の管理情報６５にもこれらの更新が反映される。このストッカシステム１では、受取者２０は例えば出勤前あるいはオフィス３５にいる間に発注を行って、オフィス３５からの退社時に第１ストッカ４１で商品１７を受け取ることができ、商品１７を受け取りに行く手間が省ける。あるいは、第２ストッカ４２や第３ストッカ４３が受取者２０の通勤経路上にあれば、受取者２０は通勤途中で商品１７を受け取ることもできる。
【００３７】
次に、受取者２０に商品１７の広告を提供する処理に関するストッカシステム１の動作について説明する。まず、携帯端末２１の動作について説明する。図３は、携帯端末２１の端末制御部２２により実行される広告報知ルーチンの一例を表すフローチャートである。このルーチンは、処理プログラム２６として記憶部２３に記憶されており、携帯端末２１の電源がＯＮされると開始される。このルーチンを開始すると、端末制御部２２は、まず、複数のビーコン装置３０のいずれかのビーコン信号を受信したか否かを判定する（ステップＳ１００）。ビーコン信号を受信すると、端末制御部２２は、記憶部２３に記憶された会員ＩＤ２７と、位置情報としての受信したビーコン信号に含まれるビーコンＩＤと、をストッカ管理装置６０の親装置６１に送信する（ステップＳ１１０）。なお、例えば第１，第４ビーコン装置３１，３４からのビーコン信号を受信した場合など、複数のビーコン信号を受信した場合には、端末制御部２２は会員ＩＤと複数のビーコンＩＤとを送信してもよい。ステップＳ１００でビーコン信号を受信しなかったとき、又はステップＳ１１０のあと、端末制御部２２は、ストッカ管理装置６０から広告関連情報を受信したか否かを判定する（ステップＳ１２０）。広告関連情報を受信すると、端末制御部２２は、広告関連情報に含まれる広告を受取者２０に報知する（ステップＳ１３０）。例えば、端末制御部２２は、広告関連情報に含まれる写真や文字，ＵＲＬなどを表示操作部２５に表示する。ステップＳ１２０で広告関連情報を受信していないときや、ステップＳ１３０で広告を報知したあとには、端末制御部２２はステップＳ１００以降の処理を実行する。
【００３８】
次に、ストッカ管理装置６０の動作について説明する。図４は、親装置６１の親制御部６２により実行される広告提供ルーチンの一例を表すフローチャートである。このルーチンは、記憶部６３に記憶されており、親装置６１の電源がＯＮされると開始される。このルーチンを開始すると、親制御部６２は、まず、携帯端末２１から上述したステップＳ１１０で送信された位置情報としてのビーコンＩＤ及び会員ＩＤを受信したか否かを判定する（ステップＳ２００）。位置情報等を受信すると、親制御部６２は、受信した会員ＩＤ及び位置情報と、受信日時とを対応付けて位置履歴情報９０に記憶（追加）する（ステップＳ２１０）。ステップＳ２００で位置情報等を受信しなかったとき、又はステップＳ２１０のあと、親制御部６２は、位置履歴情報９０の情報に基づいて、広告対応情報６９として記憶部６３に記憶されたいずれかの広告提供条件（条件Ａ〜Ｈ）を満たした携帯端末２１（受取者２０）があるか否かを判定する（ステップＳ２２０）。広告提供条件を満たした携帯端末２１があるときには、親制御部６２は、広告提供条件を満たした携帯端末２１に対して、その広告提供条件に広告対応情報６９で対応づけられた広告関連情報を送信する（ステップＳ２３０）。親制御部６２がこの広告提供条件を送信すると、上述したように端末制御部２２はステップＳ１２０で広告関連情報を受信したと判定し、受取者２０に広告を報知することになる。ステップＳ２２０で広告提供条件を満たした携帯端末２１がないときや、ステップＳ２３０で広告関連情報を送信したあとには、親制御部６２はステップＳ２００以降の処理を実行する。
【００３９】
ここで、ステップＳ２２０における広告提供条件を満たしたか否かの判定について詳細に説明する。親制御部６２は、広告提供条件のうち位置条件及び時期条件の成否は位置履歴情報９０に基づいて判定し、利用条件の成否は管理情報６５に基づいて判定する。例えば、親制御部６２は、携帯端末２１から第１，第４ビーコン装置３１，３４のいずれのビーコンＩＤも受信しない状態が所定時間（例えばビーコン装置３０のビーコン信号の発信周期にマージンを加えた時間）以上続いた場合、その携帯端末２１は判定領域Ｘ外に位置していると判定する。そして、その後に携帯端末２１から第１，第４ビーコン装置３１，３４のいずれかのビーコンＩＤを受信した場合には、その携帯端末２１が判定領域Ｘに入ったと判定し、条件Ａが成立したと判定する。同様に、親制御部６２は、携帯端末２１から第１，第４ビーコン装置３１，３４のいずれかのビーコンＩＤを受信した（＝携帯端末２１が判定領域Ｘ内に位置する）あとに、第１，第４ビーコン装置３１，３４のいずれのビーコンＩＤも受信しない状態が所定時間続いた場合には、条件Ｂが成立したと判定する。親制御部６２は、条件Ｅ，Ｆの位置条件（移動経路Ｌ，Ｍ）や条件Ｇ，Ｈの位置条件についても、位置履歴情報９０に基づいて同様に判定することができる。条件Ｃ，Ｄについては、親制御部６２は、携帯端末２１が位置条件を満たしており、位置履歴情報９０に記憶した受信日時に基づいて位置条件を満たしている時刻が時期条件を満たしていると判定したときに、成立したと判定する。また、親制御部６２は、納品庫対応テーブル６７の中にいずれの会員ＩＤが対応付けられているか否かを調べる。そして、親制御部６２は、対応付けられていない会員ＩＤに対応する携帯端末２１の受取者２０は商品１７を未発注であり条件Ｇの利用条件を満たすと判定する。また、親制御部６２は、納品庫対応テーブル６７の中に対応付けられている会員ＩＤがあるときには、その会員ＩＤに対応する携帯端末２１の受取者２０は商品１７を発注済であり条件Ｇの利用条件を満たすと判定する。なお、親制御部６２は、納品庫対応テーブル６７の中に会員ＩＤが対応付けられていない場合でも、一日のうちで一度でも会員ＩＤが納品庫対応テーブル６７に対応付けられた（＝発注を行った）場合には、同日中は発注済であると判定してもよい。
【００４０】
なお、親制御部６２は、ステップＳ２２０で複数の広告提供条件を満たした携帯端末２１がある場合には、対応する広告関連情報を全てその携帯端末２１に送信する。例えば、携帯端末２１が判定領域Ｙ内→判定領域Ｘ内の順に移動し、判定領域Ｘ内に入った時刻が１０時〜１１時の間であり、受取者２０が商品１７を未発注であるときには、親制御部６２は条件Ａ，Ｃ，Ｅ，Ｇをいずれも満たすと判定して、広告ａ，ｃ，ｅ，ｇをその携帯端末２１に送信する。このとき、複数の広告間で同じ商品１７の広告があるときには、重複する商品１７の広告は１つしか送信しないようにしてもよい。また、親制御部６２は、既に携帯端末２１に送信した広告と同じ広告については、ステップＳ２３０での送信を行わなくてもよい。例えば、携帯端末２１が１０時〜１１時の間に判定領域Ｘ内に継続して位置する場合には、親制御部６２はステップＳ２２０で繰り返し条件Ｃを満たすと判定するが、２回目以降に条件Ｃを満たした場合に同じ広告ｃは送信しないようにしてもよい。
【００４１】
ここで、本実施形態の構成要素と本発明の構成要素との対応関係を明らかにする。本実施形態のストッカ管理装置６０が本発明の広告配信装置に相当し、ビーコン装置３０がビーコン装置に相当し、携帯端末２１がユーザー端末に相当し、記憶部６３が広告情報記憶手段に相当し、親制御部６２が受信手段及び広告送信手段に相当する。また、記憶部６３が管理情報記憶手段に相当する。
【００４２】
以上詳述した本実施形態のストッカシステム１では、親装置６１の親制御部６２は、ビーコン装置３０からのビーコン信号に基づく携帯端末２１の位置に関する位置情報を携帯端末２１から受信する。そして、親制御部６２は、受信された位置情報に基づいて、ビーコン装置３０との位置関係に基づいて定まる判定領域Ｘ外に携帯端末２１が出たことを少なくとも条件とする広告提供条件（条件Ｂ）を満たしたと判定した場合に、条件Ｂに対応する広告関連情報（広告ｂ）を携帯端末２１に送信する。このように、判定領域内から判定領域外に携帯端末２１が出たことに基づいて広告関連情報を送信するから、受取者２０の挙動に応じて適切に広告を提供することができる。また、親制御部６２は、条件Ａを満たしたと判定したときには、本日の広告ａをユーザー端末に送信する。一方、条件Ａを満たさない場合に成立しうる条件Ｂを満たしたと判定したときには、広告ａに基づいて取得される広告よりも時期的に後の広告に関する翌日以降の広告ｂを携帯端末２１に送信する。このように、位置情報に基づいて判定される異なる複数の広告提供条件のいずれを満たしたかによって、時期の異なる広告の広告関連情報を送信するから、受取者２０の挙動に応じて適切に広告を提供することができる。例えば、本実施形態では、条件Ａが成立するのは受取者２０がオフィス３５に入ったときであり、受取者２０が出社した可能性が高い。そして、受取者２０が出社した場合は、第１ストッカ４１で受け取る商品１７の発注を本日中に行う可能性が高い。このような場合に、親制御部６２は本日の広告ａを携帯端末２１に送信するため、受取者２０の挙動に応じて適切に広告を提供することができる。また、本実施形態では、条件Ｂが成立するのは受取者２０がオフィス３５を出たときであり、受取者２０が退社した可能性が高い。そして、受取者２０が退社した場合は、第１ストッカ４１で受け取る商品１７の発注は翌日以降に行われる可能性が高い。このような場合に、親制御部６２は翌日以降の広告ｂを携帯端末２１に送信するため、受取者２０の挙動に応じて適切に広告を提供することができる。
【００４３】
また、親制御部６２は、受信された位置情報に基づいて、所定の判定時期において所定の判定領域内にユーザー端末が位置することを少なくとも条件とする広告提供条件（条件Ｃ，Ｄ）を満たしたと判定した場合に、条件Ｃ，Ｄに対応する広告関連情報（広告ｃ，ｄ）を携帯端末２１に送信する。このように、判定時期と判定領域とを用いた判定に基づいて広告関連情報を送信するから、受取者２０の挙動に応じて適切に広告を提供することができる。また、親制御部６２は、条件Ｃを満たしたと判定したときには、簡易な広告ｃを携帯端末２１に送信し、条件Ｃを満たさない場合に成立しうる条件Ｄを満たしたと判定したときには、広告ｃに基づいて取得される広告よりも情報量の多い広告に関する詳細な広告ｄを携帯端末２１に送信する。このように、位置情報に基づいて判定される異なる複数の広告提供条件のいずれを満たしたかによって、情報量の異なる広告の広告関連情報を送信するから、受取者２０の挙動に応じて適切に広告を提供することができる。例えば、本実施形態では、条件Ｃが成立するのは受取者２０がオフィス３５に出勤しており且つ午前中の時間帯であるため、受取者２０は勤務中であり広告を見る時間があまりない可能性が高い。このような場合に、親制御部６２は簡易な広告ｃを携帯端末２１に送信するため、受取者２０が広告の内容を短時間で把握しやすい。一方、条件Ｄが成立するのは受取者２０がオフィス３５に出勤しており且つ午後の退社時刻が近い時間帯であるため、受取者２０は例えば帰りの通勤経路で広告をじっくり確認できる可能性が高い。このような場合に、親制御部６２は詳細な広告ｄを携帯端末２１に送信するため、受取者２０が商品１７の内容を詳細に確認して発注を検討することができる。
【００４４】
さらに、親制御部６２は、受信された位置情報に基づいて、複数のビーコン装置３０との位置関係に基づいて定まる複数の判定領域と複数の判定領域内に位置した順序とで定まる所定の移動経路を携帯端末２１が通ったことを少なくとも条件とする広告提供条件（条件Ｅ，Ｆ）を満たしたと判定した場合に、条件Ｅ，Ｆに対応する広告関連情報（広告ｅ，ｆ）を携帯端末２１に送信する。このように、携帯端末２１の移動経路に関する判定に基づいて広告関連情報を送信するから、受取者２０に応じて適切に広告を提供することができる。
【００４５】
しかも、広告対応情報６９では、商品１７を受け取り可能な場所（第１ストッカ４１の設置されたオフィス３５）に関連する受取可能判定領域（判定領域Ｘ）を含む複数の判定領域Ｘ，Ｙと複数の判定領域Ｘ，Ｙ内に位置した順序とで定まる移動経路Ｌを携帯端末２１が通ったことを少なくとも条件とする条件Ｅと、第１ストッカ４１で受け取り可能な商品１７に関する広告ｅと、が対応付けられている。また、広告対応情報６９では、移動経路Ｌと同じ受取可能判定領域（判定領域Ｘ）を含む複数の判定領域Ｘ，Ｚと複数の判定領域Ｘ，Ｚ内に位置した順序とで定まり且つ移動経路Ｌとは少なくとも一部の経路が異なる移動経路Ｍを携帯端末２１が通ったことを少なくとも条件とする条件Ｆと、第１ストッカ４１で受け取り可能であり且つ広告ｅに基づいて取得される広告よりも持ち運びの容易な商品１７の広告に関する広告ｆと、が対応付けられている。このように、携帯端末２１が商品１７を受け取り可能な場所を経由する複数の移動経路のうちいずれの経路を通ったかに基づいて、持ち運び易さの異なる商品１７の広告の広告関連情報を送信するから、受取者２０の挙動に応じて適切に広告を提供することができる。
【００４６】
例えば、本実施形態では、受取者２０が公共交通機関の駅構内に配置された第３ビーコン装置３３付近（判定領域Ｚ内）を通過してオフィス３５に出勤すると、条件Ｆが成立する。そして、このような経路で受取者２０が出勤した場合は、受取者２０は公共交通機関を利用して出勤した可能性が高く、帰宅時も同様である可能性が高い。このとき、親制御部６２は比較的軽い商品１７すなわち公共交通機関を経由して持ち帰り易い商品１７の広告ｆを携帯端末２１に送信する。一方、受取者２０が公共交通機関の経路から離れた大通り沿いに配置された第２ビーコン装置３２付近（判定領域Ｙ内）を通過してオフィス３５に出勤すると、条件Ｅが成立する。そして、このような経路で受取者２０が出勤した場合は、受取者２０は車を利用して出勤した可能性が高く、帰宅時も同様である可能性が高い。このとき、親制御部６２は比較的重い商品１７すなわち公共交通機関を利用する場合には持ち帰りにくいような商品１７の広告ｅを携帯端末２１に送信する。このように、親制御部６２は、移動経路によって受取者２０の挙動（本実施形態では帰宅時の通勤手段）を予想して、受取者２０の予想される挙動に適した商品１７の広告を提供できる。
【００４７】
さらにまた、親制御部６２は、受信された位置情報に基づいて携帯端末２１が所定の位置条件を満たし、且つ、受信された会員ＩＤに対応する利用情報が所定の利用条件を満たしていること、を少なくとも条件とする広告提供条件（条件Ｇ，Ｈ）を満たしたと判定した場合に、条件Ｇ，Ｈに対応する広告関連情報（広告ｇ，ｈ）を携帯端末２１に送信する。このように、受取者２０の位置及びストッカ４０の利用状況を用いた判定に基づいて広告関連情報を送信するから、ストッカ４０の利用状況も加味した受取者２０の挙動に応じて適切に広告を提供することができる。例えば、本実施形態では、受取者２０がオフィス３５に出勤し且つ商品１７の発注前であると、条件Ｇが成立する。このような場合は、受取者２０はこれから商品１７を発注する可能性が高い。このとき、親制御部６２は条件Ｇに対応して本日の広告ｇを携帯端末２１に送信するから、受取者２０の状況に適した商品１７の広告を提供できる。また、本実施形態では、受取者２０がオフィス３５に出勤し且つ商品１７の発注済であると、条件Ｈが成立する。このような場合は、受取者２０はこれから同日中には商品１７を発注しない可能性が高い。このとき、親制御部６２は条件Ｈに対応して翌日以降の広告ｈを携帯端末２１に送信するから、受取者２０の状況に適した商品１７の広告を提供できる。
【００４８】
なお、本発明は上述した実施形態に何ら限定されることはなく、本発明の技術的範囲に属する限り種々の態様で実施し得ることはいうまでもない。
【００４９】
例えば、上述した実施形態では、ビーコン装置３０はストッカ管理装置６０から携帯端末２１に広告を提供する処理に用いられるのみであったが、これに限られない。例えば、ビーコン装置３０が発信するビーコン信号が、ストッカ４０での商品の受け渡しに関連する処理に用いられるものであってもよい。受け渡しに関連する処理の例としては、例えば、受取者２０が商品１７の受取時に納品庫４５を解錠する解錠処理や、受取者２０に商品１７の受取忘れに関する情報を報知する受取忘れ報知処理などが挙げられる。解錠処理は、例えば以下のように行ってもよい。まず、携帯端末２１は、ビーコン装置３０のいずれかのビーコン信号を受信すると、位置情報と会員ＩＤとを最寄りの子装置７０に送信する。このとき、位置情報にはビーコンＩＤだけでなく受信したビーコン信号の強度に基づくビーコン装置３０との距離情報（例えば「ごく近い」，「近い」，「遠い」のいずれかの情報）を含めてもよい。そして、位置情報等を受信した子装置７０の子制御部８２は、自身が管理するストッカ４０付近に携帯端末２１が位置したことを受信した位置情報に基づいて検出し、且つ受信した会員ＩＤに対応する納品庫４５に商品があることを管理情報８５に基づいて検出すると、対応する納品庫４５を解錠する。また、受取忘れ報知処理は、例えば以下のように行ってもよい。まず、親装置６１の記憶部６３には、受取忘れ提供条件とストッカ４０とを対応付けて記憶しておく。例えば、携帯端末２１が判定領域Ｘから出た旨の位置条件を受取忘れ提供条件とし、第１ストッカ４１を対応付けておく。そして、親制御部６２は、携帯端末２１から受信した位置情報等に基づいて受取忘れ提供条件を満たしたと判定し、且つ対応する第１ストッカ４１に受取者２０の商品１７が存在するときに、携帯端末２１に商品１７の受取忘れに関する情報を送信する。こうすれば、ビーコン装置３０からのビーコン信号の受信に基づいて、ビーコン装置３０に関連するストッカ４０を利用する販売者（商店１０）の広告が受取者２０に提供される。そのため、受取者２０の挙動に応じたより適切な内容の広告を提供できる。また、ビーコン装置３０を商品の受け渡しに関連する処理と広告を提供する処理とに用いることができるため、ビーコン装置３０を有効活用できる。
【００５０】
上述した実施形態では、広告対応情報６９に含まれる広告関連情報は広告のデータ自体としたが、これに限らず広告の取得に必要な情報であってもよい。例えば、ウェブサイト１５のうち広告が掲載されたウェブページにアクセスするためのＵＲＬを、広告関連情報としてもよい。こうしても、携帯端末２１は受信したＵＲＬを用いて広告を取得できるため、ストッカ管理装置６０から携帯端末２１に広告を提供できる。また、広告関連情報は個別の商品１７の広告に限らず、商店１０自体の広告などとしてもよい。
【００５１】
上述した実施形態では、判定領域Ｘ〜Ｚはいずれもビーコン信号を受信可能な領域として定義されていたが、これに限られない。例えば、携帯端末２１がビーコン信号を受信可能な領域よりも狭い領域として、判定領域を定義してもよい。例えば、ビーコン信号を送信したビーコン装置３０と携帯端末２１との距離を「ごく近い」（例えば数ｃｍ〜数十ｃｍの距離），「近い」（例えば数ｍの距離），「遠い」（例えば数十ｍの距離）の３段階に設定し、ビーコン装置３０からの距離が「ごく近い」又は「近い」である領域を、判定領域として定義してもよい。この場合、端末制御部２２が受信したビーコン信号の強度に基づいてビーコン装置３０からの距離が上記の３段階のいずれであるかの距離情報を導出して、この距離情報とビーコンＩＤとを位置情報としてストッカ管理装置６０に送信してもよい。そして、親制御部６２は受信した位置情報に基づいて携帯端末２１が位置条件を満たすか否かを判定してもよい。また、複数のビーコン装置３０からの距離の条件を組み合わせて判定領域を定義してもよい。例えば、３つのビーコン装置３０を上面視で三角形状に配置し、３つのビーコン装置３０からの各々の距離がいずれも「ごく近い」又は「近い」である領域を、判定領域として定義してもよい。また、所定のビーコン装置３０からのビーコン信号を受信不可能な領域を、判定領域として定義してもよい。
【００５２】
上述した実施形態では、判定時期Ｔ，Ｕは所定の時間帯としたが、これに限らず所定の日時，月日，時刻などを判定時期（時期条件）としてもよい。また、上述した実施形態とは異なり、親制御部６２が位置情報及び会員ＩＤを送信するように携帯端末２１に要求信号を送信してもよい。特に判定時期を時刻とする場合、所定の時刻になったときに親制御部６２が要求信号を送信して、それに対して返信された位置情報及び会員ＩＤに基づいて広告提供条件を判定してもよい。
【００５３】
上述した実施形態では、２つの判定領域内に位置した順序で定まる移動経路Ｌ，Ｍを例示したが、これに限られない。３つ以上の判定領域に位置した順序で定まる移動経路を通ったことを位置条件にしてもよい。また、「所定の判定領域を通過しなかったこと」を移動経路の一部に含めてもよい。
【００５４】
上述した実施形態では、移動経路Ｌ，Ｍの最後に共通する受取可能判定領域（判定領域Ｘ）が存在するが、これに限られない。複数の移動経路間で、共通する受取可能判定領域を少なくとも含んでいれば、受取可能判定領域は経路の最初，途中，最後のいずれに位置していてもよい。例えば、移動経路Ｌを、判定領域Ｘ内→判定領域Ｙ内の順に携帯端末２１が位置した旨の経路とし、移動経路Ｍを、判定領域Ｘ内→判定領域Ｚ内の順に携帯端末２１が位置した旨の経路としてもよい。この場合も、受取者２０の帰宅時の通勤経路に基づいて、翌日以降の受取者２０の通勤経路を予測することはできるため、受取者２０の予想される挙動に適した商品１７の広告を提供できる。
【００５５】
上述した実施形態では、受取可能判定領域（判定領域Ｘ〜Ｚ）は、いずれもその領域内にストッカ４０を含んでいたが、これに限られない。受取可能判定領域は、商品１７を受け取り可能な場所に関連する領域であればよい。受取可能判定領域は、商品１７を受取可能な場所に到達したとみなせる場所を含んでいればよい。例えば、受取可能判定領域は、商品１７を受取可能な場所（本実施形態ではストッカ４０）の配置された建物内の少なくとも一部を含む領域、商品１７を受取可能な場所のある敷地内の少なくとも一部（駐車場など）を含む領域、商品１７を受取可能な場所に面する道路の少なくとも一部を含む領域、などとしてもよい。
【００５６】
上述した実施形態では、商品１７はストッカ４０で受け渡しされる商品１７に関する広告としたが、これに限られない。例えば、発注した商品１７を受取者２０がコンビニエンスストアで受け取るなど、ストッカ４０を利用せずに商品１７の受け渡しが行われてもよい。この場合、「商品１７を受け取り可能な場所」は例えばコンビニエンスストアとなる。
【００５７】
上述した実施形態では、広告ｆは広告ｅと比べて軽い商品１７の広告としたが、広告ｆは広告ｅと比べて持ち運びの容易な商品に関する広告であればよい。持ち運びの容易な商品としては、例えば、大きさの小さい商品や、常温で持ち運び可能な商品（保冷剤等による冷却が不要な商品）、電子データなど物理的な実体のない（重さのない）商品などが挙げられる。
【００５８】
上述した実施形態では、条件Ｅ，Ｆは移動経路のみの位置条件を満たすと成立するが、移動経路に加えてその経路の移動時間も位置条件に含めてもよい。例えば、携帯端末２１が移動経路Ｌを通り且つ移動時間が所定の閾値より長い場合に成立する位置条件と、携帯端末２１が移動経路Ｌを通り且つ移動時間が所定の閾値より短い場合に成立する位置条件とを設定して、別々の広告関連情報を対応付けておいてもよい。例えば、前者の位置条件を満たしたときには徒歩や自転車などでの移動可能性が高いため広告ｆを対応付けておき、後者の位置条件を満たしたときには車での移動可能性が高いため広告ｅを対応付けておいてもよい。こうすれば、受取者２０の挙動に応じてより適切に広告を提供できる。
【００５９】
上述した実施形態では、移動経路に応じて持ち運びの容易さの異なる商品１７の広告が対応付けられているが、これに限られない。例えば、移動経路に応じて受取者２０の住む地域を判定するようにし、移動経路と受取者２０の住む地域に応じた商品１７の広告とを対応付けてもよい。
【００６０】
上述した実施形態では、利用条件として未発注である旨や発注済みである旨の条件を例示したが、これに限られない。利用条件は、受取者２０によるストッカ４０の利用状況に関する利用情報に基づいて判定可能な条件であればよい。例えば、位置条件に判定領域Ｘに関する条件を用いている場合には対応する第１ストッカ４１を配送先とした発注があるか否かを利用条件にするなど、利用条件にストッカ４０のいずれかを指定する条件を加えてもよい。また、発注した商品１７を受け取ったか否かの条件を利用条件に含めてもよいし、ストッカ４０での商品１７の受け渡しを一度でも利用したことがあるか否かの条件を利用条件に含めてもよい。
【００６１】
上述した実施形態では、親制御部６２は、ビーコンＩＤを含む位置情報を１回受信すると携帯端末２１が判定領域内に位置すると判定するが、これに限られない。例えば、所定時間（又は所定回数）に亘ってビーコンＩＤを含む位置情報を連続的に受信したときに、親制御部６２は携帯端末２１がその位置情報に基づく判定領域内に位置すると判定してもよい。こうすることで、判定領域内をたまたま通過しただけの携帯端末２１と、判定領域に滞在した携帯端末２１とを区別できる。
【００６２】
上述した実施形態では、ストッカ管理装置６０は管理情報６５を記憶しストッカ４０を管理する機能と、携帯端末２１に広告を提供する機能とを有しているが、これに限られない。本発明の広告配信装置は、携帯端末２１に広告を提供する装置であればよく、例えば図４の広告提供ルーチンを実行できればよい。例えば、図４の広告提供ルーチンを実行し広告対応情報６９，位置履歴情報９０などを記憶する広告配信装置と、管理情報６５を記憶するストッカ管理装置とを別々の装置として構成してもよい。この場合、広告配信装置が利用条件の判定を行う際にはストッカ管理装置に問い合わせてもよい。
【００６３】
上述した実施形態では、利用条件の判定を行うためのユーザー識別情報として会員ＩＤを用いているが、これに限らずユーザー識別情報は受取者２０（あるいは携帯端末２１）を特定可能な情報であればよい。例えば、伝票ＩＤや解錠コードなどをユーザー識別情報として用いてもよい。この場合、ステップＳ１００，Ｓ２００では、会員ＩＤに代えてこれらのユーザー識別情報を送受信すればよい。
【００６４】
上述した実施形態では、広告ｄは広告ｃにさらに商品１７の説明などの情報を追加した詳細な広告としたが、これに限られない。広告ｄは、広告ｃよりも情報量の多い広告であればよい。例えば、広告ｄが広告ｃよりも多くの商品１７の広告を含んでいてもよい。なお、広告ｄと広告ｃとで、必ずしも同じ商品１７の広告を含んでいる必要はない。
【００６５】
上述した実施形態に限らず、広告対応情報６９の広告提供条件はどのように定めてもよい。例えば、広告提供条件は、位置条件，時期条件，利用条件のうち１以上の条件を含むものとしてもよく、上述した各種の条件を適宜組み合わせた広告提供条件を定めてもよい。広告提供条件は、少なくとも位置条件を含むものとしてもよい。広告提供条件に、位置条件，時期条件，利用条件以外の条件を追加してもよい。広告提供条件に、どのような内容の広告関連情報を対応付けてもよい。
【００６６】
上述した実施形態では、広告提供ルーチンは親制御部６２が実行したが、ストッカ管理装置６０（広告配信装置）全体として広告提供ルーチンを行うことができればよく、例えば子装置７０と親装置６１とで広告提供ルーチンを分担して実行したり、子装置７０が広告提供ルーチンを実行したりしてもよい。子装置７０が広告提供ルーチンを実行する場合、記憶部８３に広告対応情報６９や位置履歴情報９０を記憶していればよい。この場合、携帯端末２１からは子装置７０に会員ＩＤ等を送信してもよい。
【００６７】
上述した実施形態では、ストッカ管理装置６０は親装置６１と複数の子装置７０とを備えていたが、これに限られない。例えば、複数の子装置７０を備えず親装置６１がロック機構４７，物品センサ４８，開閉センサ４９，表示操作部５４，読取機５５，５６などと情報のやり取りを行ってもよい。あるいは、親装置６１を備えず複数の子装置７０がそれぞれ独立したストッカ管理装置６０として構成されていてもよい。また、子装置７０はストッカ４０のうち納品庫４５と同様の箱状の１室内に配置されていたが、これに限られない。例えば、ストッカ４０とは別の場所に対応する子装置７０が配置されていてもよい。１つの子装置７０が複数のストッカ４０を管理してもよい。
【００６８】
上述した実施形態において、ユーザー端末は携帯端末２１としたが、これに限られない。例えば、ユーザー端末が複数のコンピュータとして構成されていてもよい。例えば、ユーザー端末が、受取者２０が身につけることができるウェアラブル端末としての子機と、子機と通信可能な親機と、を備えていてもよい。この場合、親機が携帯可能でなくてもよい。また、ユーザー端末は移動可能であれば、携帯可能でなくてもよい。例えば、ユーザー端末が車載装置であってもよい。
【００６９】
上述した実施形態では、店舗ＰＣ１２，携帯端末２１，親装置６１，子装置７０はネットワーク２を介して情報の送受信を行うが、これに限られない。例えば、親装置６１と子装置７０との間はネットワーク２とは別の専用回線で情報の送受信を行ってもよい。
【００７０】
上述した実施形態では、ストッカ管理装置６０が広告提供ルーチンを実行したが、携帯端末２１が広告提供ルーチンを実行してもよい。この場合、携帯端末２１の記憶部２３には、広告対応情報，自身の位置履歴情報，携帯端末２１に広告提供ルーチンを実行させる処理プログラム２６、等を記憶しておけばよい。そして、端末制御部２２は、ステップＳ２００でビーコン装置３０からビーコン信号を受信すると、ステップＳ２１０で受信日時とビーコン信号に基づいて取得された位置情報とを位置履歴情報に記憶し、ステップＳ２２０で広告提供条件を満たしたと判定すると、ステップＳ２３０で対応する広告関連情報に基づいて広告を受取者２０に報知すればよい。また、端末制御部２２がステップＳ２２０で利用条件の判定を行う際にはストッカ管理装置６０に問い合わせてもよい。このように、本発明は、１又は複数のコンピュータを有するユーザー端末に、広告提供方法を実行させるためのプログラムとしてもよい。広告提供方法は、前記ビーコン信号に基づいて前記ユーザー端末の位置に関する位置情報を取得する位置情報取得ステップと、前記取得された位置情報に基づいて前記広告提供条件を満たしたと判定した場合に、該広告提供条件に対応する前記広告関連情報をユーザーに報知する報知ステップと、を含むものとしてもよい。
【００７１】
本発明は、広告配信装置の発明としたが、広告配信装置を含む広告システムの発明としてもよい。広告システムは、ビーコン信号を送信するビーコン装置と、本発明の広告配信装置と、を備えるものとしてもよい。
【符号の説明】
【００７２】
１  ストッカシステム、２  ネットワーク、５  供給者側システム、１０  商店、１２  店舗ＰＣ、１５  ウェブサイト、１７  商品、１８  バーコード、１９  配達者、２０  受取者、２１  携帯端末、２２  端末制御部、２３  記憶部、２４  通信部、２５  表示操作部、２６  処理プログラム、２７  会員ＩＤ、３０  ビーコン装置、３１〜３４  第１〜第４ビーコン装置、３５  オフィス、４０  ストッカ、４１〜４３  第１〜第３ストッカ、４５  納品庫、４６  扉、４７  ロック機構、４８  物品センサ、４９  開閉センサ、５４  表示操作部、５５，５６  読取機、６０  ストッカ管理装置、６１  親装置、６２  親制御部、６３  記憶部、６４  通信部、６５  管理情報、６７  納品庫対応テーブル、６８  物品有無テーブル、６９  広告対応情報、７０  子装置、７１〜７３  第１〜第３子装置、８２  子制御部、８３  記憶部、８４  通信部、８５  管理情報、９０  位置履歴情報。
【図１】
0006566645.tif 000002
【図２】
0006566645.tif 000003
【図３】
0006566645.tif 000004
【図４】
0006566645.tif 000005